(57)【要約】 【課題】簡易かつ高精度に表示装置の評価を行うことができる表示装置の評価装置、評価方法および評価システムを提供する。【解決手段】実施形態によれば、表示装置の評価システムは、信号発生器と、妨害波発生器と、カメラと、レジスタと、比較部と、出力部とを備える。前記信号発生器は、被評価表示装置の表示パネルにテスト画像を表示させる。前記妨害波発生器は、周波数をスイープさせながら、前記被評価表示装置に妨害波を与える。前記カメラは、前記表示パネルに表示された前記テスト画像の一部を撮影する。前記レジスタは、前記カメラで撮影された画像の特性値を算出する。前記比較部は、前記妨害波の周波数ごとに、予め算出した前記妨害波が与えられない場合の前記カメラで撮影された画像の特性値と、前記妨害波が与えられた場合の前記カメラで撮影された画像の特性値と、を比較する。前記出力部は、前記比較の結果を出力する。【選択図】図２
2012249169.tif 000002
【特許請求の範囲】
【請求項１】
被評価表示装置の表示パネルにテスト画像を表示させる信号発生器と、
周波数をスイープさせながら、前記被評価表示装置に妨害波を与える妨害波発生器と、
前記表示パネルに表示された前記テスト画像の一部を撮影するカメラと、
前記カメラで撮影された画像の特性値を算出するレジスタと、
前記妨害波の周波数ごとに、予め算出した前記妨害波が与えられない場合の前記カメラで撮影された画像の特性値と、前記妨害波が与えられた場合の前記カメラで撮影された画像の特性値と、を比較する比較部と、
前記比較の結果を出力する出力部と、を有する表示装置の評価システム。
【請求項２】
前記特性値は、色温度および輝度の少なくとも一方を含む請求項１に記載の表示装置の評価システム。
【請求項３】
前記比較部は、前記妨害波の周波数ごとに、前記妨害波が与えられた場合の前記カメラで撮影された画像の特性値が、前記予め算出した前記妨害波が与えられない場合の前記カメラで撮影された画像の特性値より所定値以上変動しているか否かを比較し、
前記出力部は、前記妨害波が与えられた場合の前記カメラで撮影された画像の特性値が、前記妨害波が与えられない場合の前記カメラで撮影された画像の特性値より前記所定値以上変動した前記妨害波の周波数を出力する請求項１または２に記載の表示装置の評価システム。
【請求項４】
前記比較部は、前記妨害波の周波数ごとに、前記妨害波による画像の劣化を検出できるよう、所定時間にわたって比較を行う請求項１乃至３のいずれかに記載の表示装置の評価システム。
【請求項５】
前記信号発生器は、前記テスト画像としてカラーバーを前記表示パネルに表示させ、
前記カメラは、前記表示パネルに表示された前記カラーバーの１つのバーの一部を撮影する請求項１乃至４のいずれかに記載の表示装置の評価システム。
【請求項６】
前記カメラは、前記表示パネルに接触して設けられるか、外光の影響を受けないよう前記表示パネルに近接して設けられる請求項１乃至５のいずれかに記載の表示装置の評価システム。
【請求項７】
前記妨害波発生器は、前記被評価表示装置の外部入力端子、電源端子またはアンテナ入力端子に前記妨害波を与える請求項１乃至６のいずれかに記載の表示装置の評価システム。
【請求項８】
前記妨害波発生器は、０．１５ＭＨｚ乃至１５０ＭＨｚの前記妨害波をスイープさせながら前記被評価表示装置に与える請求項１乃至７のいずれかに記載の表示装置の評価システム。
【請求項９】
妨害波発生器を制御して、周波数をスイープさせながら、被評価表示装置に妨害波を与える妨害波制御部と、
前記被評価表示装置の表示パネルに表示されたテスト画像の一部を撮影するカメラにより撮影された画像の特性値を算出するレジスタと、
予め算出した前記妨害波が与えられない場合の前記カメラで撮影された画像の特性値と、前記妨害波が与えられた場合の前記カメラで撮影された画像の特性値と、を比較する比較部と、
前記比較の結果を出力する出力部と、を有する表示装置の評価装置。
【請求項１０】
前記特性値は、色温度および輝度の少なくとも一方を含む請求項９に記載の表示装置の評価装置。
【請求項１１】
前記比較部は、前記妨害波の周波数ごとに、前記妨害波が与えられた場合の前記カメラで撮影された画像の特性値が、前記予め算出した前記妨害波が与えられない場合の前記カメラで撮影された画像の特性値より所定値以上変動しているか否かを比較し、
前記出力部は、前記妨害波が与えられた場合の前記カメラで撮影された画像の特性値が、前記妨害波が与えられない場合の前記カメラで撮影された画像の特性値より前記所定値以上変動した前記妨害波の周波数を出力する請求項９または１０に記載の表示装置の評価装置。
【請求項１２】
前記比較部は、前記妨害波の周波数ごとに、前記妨害波による画像の劣化を検出できるよう、所定時間にわたって比較を行う請求項９乃至１１のいずれかに記載の表示装置の評価装置。
【請求項１３】
前記妨害波制御部は、前記妨害波発生器を制御して、０．１５ＭＨｚ乃至１５０ＭＨｚの前記妨害波をスイープさせながら前記被評価表示装置に与える請求項９乃至１２のいずれかに記載の表示装置の評価装置。
【請求項１４】
被評価表示装置の表示パネルにテスト画像を表示させるステップと、
周波数をスイープさせながら、前記被評価表示装置に妨害波を与えるステップと、
前記表示パネルに表示された前記テスト画像の一部を撮影するステップと、
前記撮影された映像の特性値を算出するステップと、
予め算出した前記妨害波が与えられない場合の前記カメラで撮影された画像の特性値と、前記妨害波が与えられた場合の前記カメラで撮影された画像の特性値と、を比較するステップと、
前記比較の結果を出力するステップと、を有する表示装置の評価方法。
【請求項１５】
前記特性値は、色温度および輝度の少なくとも一方を含む請求項１４に記載の表示装置の評価方法。
【請求項１６】
前記比較するステップでは、前記妨害波の周波数ごとに、前記妨害波が与えられた場合の前記カメラで撮影された画像の特性値が、前記予め算出した前記妨害波が与えられない場合の前記カメラで撮影された画像の特性値より所定値以上変動しているか否かを比較し、
前記出力するステップは、前記妨害波が与えられた場合の前記カメラで撮影された画像の特性値が、前記妨害波が与えられない場合の前記カメラで撮影された画像の特性値より前記所定値以上変動した前記妨害波の周波数を出力する請求項１４または１５に記載の表示装置の評価方法。
【請求項１７】
前記所定値以上変動した前記妨害波の周波数を前記被評価表示装置に与えながら、官能検査を行うステップを有する請求項１６のいずれかに記載の表示装置の評価方法。
【請求項１８】
前記比較するステップでは、前記妨害波の周波数ごとに、前記妨害波による画像の劣化を検出できるよう、所定時間にわたって比較を行う請求項１４乃至１７のいずれかに記載の表示装置の評価方法。
【請求項１９】
前記テスト画像を表示させるステップでは、前記テスト画像としてカラーバーを前記表示パネルに表示させ、
前記テスト画像の一部を撮影するステップでは、前記表示パネルに表示された前記カラーバーの１つのバーの一部を撮影する請求項１４乃至１８のいずれかに記載の表示装置の評価方法。
【請求項２０】
前記テスト画像の一部を撮影するステップは、前記カメラを前記表示パネルに接触して、または、外光の影響を受けないよう前記表示パネルに近接して設けて撮影する請求項１４乃至１９のいずれかに記載の表示装置の評価方法。
【発明の詳細な説明】
【技術分野】
【０００１】
本発明の実施形態は、表示装置の評価装置、評価方法および評価システムに関する。
【背景技術】
【０００２】
表示装置が外部から妨害波を受けると、表示パネルに表示された画像が劣化することがある。そのため、いわゆるイミュニティ試験を行い、画像の劣化の程度を評価する必要がある。イミュニティ試験では、１台の映像装置に対して何度も画像の劣化を評価しなければならない。この評価のすべてを人（評価者）が行うと、目の疲れや集中力の低下により正確に評価できない、という問題がある。また、表示パネル全体を高性能カメラで撮影して画像の劣化を自動で判定する場合、外光の影響を遮断して試験をしなければならず、試験に時間がかかったり試験コストが高くなってしまうという問題がある。
【先行技術文献】
【特許文献】
【０００３】
【特許文献１】特開平１０−９８７４９号公報
【発明の概要】
【発明が解決しようとする課題】
【０００４】
簡易かつ高精度に表示装置の評価を行うことができる表示装置の評価装置、評価方法および評価システムを提供する。
【課題を解決するための手段】
【０００５】
実施形態によれば、表示装置の評価システムは、信号発生器と、妨害波発生器と、カメラと、レジスタと、比較部と、出力部とを備える。前記信号発生器は、被評価表示装置の表示パネルにテスト画像を表示させる。前記妨害波発生器は、周波数をスイープさせながら、前記被評価表示装置に妨害波を与える。前記カメラは、前記表示パネルに表示された前記テスト画像の一部を撮影する。前記レジスタは、前記カメラで撮影された画像の特性値を算出する。前記比較部は、前記妨害波の周波数ごとに、予め算出した前記妨害波が与えられない場合の前記カメラで撮影された画像の特性値と、前記妨害波が与えられた場合の前記カメラで撮影された画像の特性値と、を比較する。前記出力部は、前記比較の結果を出力する。
【図面の簡単な説明】
【０００６】
【図１】被評価表示装置１１０の概略ブロック図。
【図２】一実施形態に係る表示装置１１０の評価システムの概略ブロック図。
【図３】テストパターンの一例であるカラーバー６の概略図。
【図４】表示装置１１０の評価手法の手順の一例を示すフローチャート。
【発明を実施するための形態】
【０００７】
例えばＣＩＳＰＲ２０、ＥＮ５５０２０規格は、表示装置にカラーバーを表示させた状態で周波数０．１５〜１５０ＭＨｚの妨害波を与える試験を行い、表示される画像の劣化が所定値以下であることを要求している。また、同規格は、評価者の目視による官能検査を行って劣化の程度を算定することを定めている。
【０００８】
表示装置は外部入力端子や電源端子など多くの端子を備えており、そのそれぞれから妨害波を与える試験を行う。また、ＰＡＬやＳＥＣＡＭ など映像信号の規格ごとに試験を行う。そのため、試験数が数十〜数百に至ることもあり、仮に評価者がすべての試験を上記の周波数範囲にわたって官能検査を行うと、評価者の目の疲れや集中力の低下により正確に評価できないおそれがある。
【０００９】
そこで、本実施形態では、予め簡易的な評価を自動で行い、画像が劣化している可能性がある周波数についてのみ官能検査をすることにより、評価者の負担を軽減して、簡易かつ高精度に表示装置の評価を行うものである。
【００１０】
図１は、被評価表示装置１１０（以下、単に表示装置１１０）の概略ブロック図である。
【００１１】
表示装置１１０は、各部の動作を制御する制御部１５６と、操作部１１６と、受光部１１８とを備えている。制御部１５６は、ＲＯＭ（Read Only Memory）１５７と、ＲＡＭ（Random Access Memory）１５８と、ＣＰＵ（Central Processing Unit）１５９と、フラッシュメモリ１６０とを有する。
【００１２】
制御部１５６は、操作部１１６から入力される操作信号や、リモートコントローラ１１７から送信され受光部１１８を介して入力される操作信号に応じて、ＲＯＭ１５７に予め記憶されたシステム制御プログラムおよび各種処理プログラムを起動させる。制御部１５６は、ＲＡＭ１５８をＣＰＵ１５９のワークメモリとし、起動したプログラムに従って各部の動作を制御する。また制御部１５６は、各種設定に必要な情報等を例えばＮＡＮＤフラッシュメモリ等のような不揮発性のメモリであるフラッシュメモリ１６０に格納して使用する。
【００１３】
また、表示装置１１０は、アンテナ入力端子１４４と、チューナ１４５と、ＰＳＫ（Phase Shift Keying）復調器１４６と、ＴＳ（Transport Stream）復号器１４７ａと、信号処理部１２０とを備えている。
【００１４】
アンテナ入力端子１４４は、ＢＳ／ＣＳデジタル放送受信用のアンテナ１４３が受信した衛星デジタルテレビジョン放送信号を、衛星デジタル放送用のチューナ１４５に送信する。チューナ１４５は、受信したデジタル放送信号のチューニングを行い、チューニングされたデジタル放送信号をＰＳＫ復調器１４６に送信する。ＰＳＫ復調器１４６は、デジタル放送信号からＴＳを復調し、復調されたＴＳをＴＳ復号器１４７ａに送信する。ＴＳ復号器１４７ａは、ＴＳをデジタル映像信号、デジタル音声信号、およびデータ信号を含むデジタル信号に復号した後、信号処理部１２０にこれらを送信する。
【００１５】
ここでのデジタル映像信号とは、表示装置１１０が出力可能な映像に関するデジタル信号であり、デジタル音声信号とは、表示装置１１０が出力可能な音声に関するデジタル信号である。またデータ信号とは、復調されたサービスについての各種情報を示すデジタル信号である。
【００１６】
また、表示装置１１０は、アンテナ入力端子１４９と、２つのチューナ１５０ａ，１５０ｂを有するチューナ部１５０と、２つのＯＦＤＭ（Orthogonal Frequency Division Multiplexing）復調器１５１と、２つのＴＳ復号器１４７ｂと、アナログチューナ１６８と、アナログ復調器１６９とを備えている。
【００１７】
アンテナ入力端子１４９は、地上波デジタル放送受信用のアンテナ１４８が受信した地上波デジタルテレビジョン放送信号を、地上波デジタル放送用のチューナ部１５０に送信する。チューナ部１５０のチューナ１５０ａ，１５０ｂは、それぞれ受信したデジタル放送信号のチューニングを行い、チューニングされたデジタル放送信号を、２つ存在するＯＦＤＭ復調器１５１に送信する。ＯＦＤＭ復調器１５１は、デジタル放送からＴＳを復調し、復調されたＴＳをそれぞれ対応するＴＳ復号器１４７ｂに送信する。ＴＳ復号器１４７ｂは、ＴＳをデジタル映像信号および音声信号等に復号した後、信号処理部１２０にこれらを送信する。チューナ部１５０のチューナ１５０ａ，１５０ｂのそれぞれで取得した地上波デジタルテレビジョン放送は、２つずつのＯＦＤＭ復調器１５１、ＴＳ復号器１４７ｂによってそれぞれ同時にデジタル映像信号、デジタル音声信号、およびデータ信号を含むデジタル信号として復号された後に、信号処理部１２０に送信されることが可能である。
【００１８】
アンテナ１４８は、地上波アナログテレビジョン放送信号も受信可能である。受信された地上波アナログテレビジョン放送信号は、図示しない分配器によって分配されて、アナログチューナ１６８に送信される。アナログチューナ１６８は、受信したアナログ放送信号のチューニングを行い、チューニングされたアナログ放送信号をアナログ復調器１６９に送信する。アナログ復調器１６９はアナログ放送信号の復調を行い、復調されたアナログ放送信号を信号処理部１２０に送信する。また、表示装置１１０は、一例として、アンテナ１４８が接続されるアンテナ入力端子１４９にＣＡＴＶ（Common Antenna Television）用のチューナを接続することによってＣＡＴＶも視聴できる。
【００１９】
また、表示装置１１０は、外部入力端子１３７と、音声処理部１５３と、スピーカ１１５と、グラフィック処理部１５２と、ＯＳＤ（On Screen Display）信号生成部１５４と、映像処理部１５５と、と、液晶パネル２００とを備えている。
【００２０】
信号処理部１２０は、ＴＳ復号器１４７ａ、１４７ｂ、または制御部１５６から送信されたデジタル信号に、適切な信号処理を施す。より具体的には、信号処理部１２０はデジタル信号をデジタル映像信号、デジタル音声信号、およびデータ信号に分離する。分離されたデジタル映像信号はグラフィック処理部１５２に、音声信号は音声処理部１５３に送信される。また信号処理部１２０は、アナログ復調器１６９から送信された放送信号を、所定のデジタルフォーマットの映像信号および音声信号に変換する。デジタルに変換された映像信号はグラフィック処理部１５２に、音声信号は音声処理部１５３に送信される。また信号処理部１２０は、外部入力端子１３７からの入力信号にも所定のデジタル信号処理を施す。
【００２１】
音声処理部１５３は、入力された音声信号を、スピーカ１１５で再生可能なフォーマットのアナログ音声信号に変換する。アナログ音声信号は、スピーカ１１５に送信されて再生される。
【００２２】
ＯＳＤ信号生成部１５４は、制御部１５６の制御に従って、ＵＩ（ユーザ・インタフェース）画面などを表示するためのＯＳＤ信号を生成する。また信号処理部１２０においてデジタル放送信号から分離されたデータ信号は、ＯＳＤ信号生成部１５４により適切なフォーマットのＯＳＤ信号に変換され、グラフィック処理部１５２に送信される。
【００２３】
グラフィック処理部１５２は、信号処理部１２０から送信されるデジタル映像信号のデコード処理を行う。デコードされた映像信号は、ＯＳＤ信号生成部１５４から送信されたＯＳＤ信号と重ね合わせて合成され、映像処理部１５５に送信される。グラフィック処理部１５２は、デコードされた映像信号またはＯＳＤ信号を、映像処理部１５５に選択的に送信することもできる。
【００２４】
映像処理部１５５は、グラフィック処理部１５２から送信された信号を、液晶パネル２００で表示可能なフォーマットのアナログ映像信号に変換する。アナログ映像信号は、液晶パネル２００に送信されて表示される。液晶パネル２００の詳細は図２を用いて後述する。
【００２５】
さらに、表示装置１１０は、ＬＡＮ（Local Area Network）端子１３１と、ＬＡＮ  Ｉ／Ｆ（Interface）１６４と、ＵＳＢ（Universal Serial Bus）端子１３３と、ＵＳＢ  Ｉ／Ｆ１６５と、ＨＤＤ（Hard Disk Drive）１７０とを備えている。
【００２６】
ＬＡＮ端子１３１はＬＡＮ  Ｉ／Ｆ１６４を介して制御部１５６に接続されている。ＬＡＮ端子１３１はイーサネット（登録商標）を用いた一般的なＬＡＮ対応ポートとして使用される。本実施形態において、ＬＡＮ端子１３１にはＬＡＮケーブルが接続されており、インターネット１３０と通信可能となっている。
【００２７】
ＵＳＢ端子１３３はＵＳＢ Ｉ／Ｆ１６５を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２８】
ＨＤＤ１７０は表示装置１１０に内蔵される磁気記憶媒体であって、表示装置１１０が有する各種情報を記憶する機能を有する。
【００２９】
図２は、一実施形態に係る表示装置１１０の評価システムの概略ブロック図である。評価システムは、テスト信号発生器１と、妨害波発生器２と、カメラ３ａ，３ｂと、評価装置４と、ディスプレイ５とを備えている。本実施形態では、表示装置１１０が液晶パネル２００（表示パネル）を有する液晶表示装置である例を示すが、表示装置１１０はプラズマディスプレイや有機ＥＬ表示装置等であってもよく、特に制限はない。
【００３０】
テスト信号発生器１は、外部入力端子１３７を介して、あるいはチューナ１４９（図１）を介して、表示装置１１０の液晶パネル２００にテストパターンを表示させる。図３は、テストパターンの一例であるカラーバー６の概略図である。同図に示すように、カラーバー６は、それぞれ縦方向に表示される白バー６Ｗ、黄色バー６Ｙ、シアンバー６Ｃ、緑バー６Ｇ、マゼンタバー６Ｍ、赤バー６Ｒ、青バー６Ｂおよび黒バー６Ｋを含む。
【００３１】
妨害波発生器２は、表示装置１１０に妨害波を与える。より具体的には、妨害波発生器２は、所定の周波数の電圧の妨害波を、例えば表示装置１１０の外部入力端子１３７や、外部出力端子、電源端子から入力する。外部入力端子１３７は、例えば、ＨＤＭＩ（High Definition Multimedia Interface）端子、Ｄ端子やコンポジットビデオ端子等の映像入力端子、音声入力端子である。電源端子から妨害波を入力する場合は、電源電圧に妨害波を重畳するようにする。あるいは、表示装置１１０の上方および下方に金属板（不図示）を配置してその一方または両方に妨害波を入力し、アンテナ入力端子１４４，１４９（図１）から表示装置１１０に妨害波を与えてもよい。
【００３２】
カメラ３ａ，３ｂは、液晶パネル２００に表示されたテストパターンの一部を撮影する。図３のカラーバー６が表示される場合、カメラ３ａ，３ｂは、いずれかのバー、例えば画像の劣化を検出しやすい黒バー６Ｋおよびマゼンタバー６Ｍの一部をそれぞれ撮影する。なお、図２では２台のカメラ３ａ，３ｂを図示し、２つのバーの一部をそれぞれ撮影する例を示しているが、カメラの台数は任意でよい。
【００３３】
評価装置４は、妨害波制御部４１と、レジスタ４２と、比較部４３と、出力部４４と、メモリ４５とを有する。評価装置４は、例えばソフトウェアとして実装され、１または複数のコンピュータに内蔵される。評価装置４は、評価者による官能試験を行う前に、簡易的な評価を前もって行うためのものである。
【００３４】
妨害波制御部４１は、妨害波発生器２が発生させる妨害波の周波数を制御する。レジスタ４２は、カメラ３ａ，３ｂで撮影された画像に基づき、その特性値として、例えば色温度Ｔおよび輝度Ｙを算出する。比較部４３は、レジスタ４２により算出された色温度Ｔおよび輝度Ｙが、予め算出されてメモリ４５に記憶された色温度Ｔおよび輝度Ｙの初期値から所定値以上変動しているか否かをそれぞれ比較し、比較結果をメモリ４５に記憶する。画像が劣化すると色温度Ｔや輝度Ｙが変化するため、比較の結果、変動が大きいときは劣化が生じていると考えられる。出力部４４は比較結果をディスプレイ５に出力する。
【００３５】
ディスプレイ５は比較結果を表示する。なお、１台のコンピュータが評価装置４およびディスプレイ５を備えていてもよい。また、ディスプレイ５に代えて印刷装置を設け、比較結果をプリントアウトしてもよい。
【００３６】
図４は、表示装置１１０の評価手法の手順の一例を示すフローチャートである。まず、テスト信号発生器１は、表示装置１１０の液晶パネル２００に、例えば図３のカラーバー６を表示させる（ステップＳ１）。そして、カメラ３ａ，３ｂを、外光の影響を受けないよう液晶パネル２００に近接（または接触）させて配置し、カラーバーのいずれかのバーの一部を撮影する（ステップＳ２）。
【００３７】
本実施形態では、液晶パネル２００全体を撮影するのではなく、その一部のみを撮影するため、カメラ３ａ，３ｂを液晶パネル２００に十分近くに配置できる。したがって、カメラ３ａ，３ｂはほとんど外光の影響を受けずに、液晶パネル２００に表示されるテスト画像を撮影でき、カメラ３ａ，３ｂおよび表示装置１１０を暗幕で覆ったり、暗室内に設置したりする手間を省ける。
【００３８】
続いて、レジスタ４２は、妨害波が与えられない場合に、カメラ３ａ，３ｂにより撮影された画像の色温度の初期値Ｔ０および輝度の初期値Ｙ０を算出し、メモリ４５に記録しておく（ステップＳ３）。
【００３９】
次に、妨害波制御部４１は、妨害波の周波数を０．１５ＭＨｚに設定し（ステップＳ４）、妨害波発生器２はその周波数の妨害波を発生させて表示装置１１０に与える（ステップＳ５）。レジスタ４２は、妨害波が与えられた場合の、カメラ３ａ，３ｂにより撮影された画像の色温度Ｔおよび輝度Ｙを算出する。
【００４０】
そして、比較部４３は、算出された色温度Ｔおよび輝度Ｙのうちの少なくとも一方が、メモリ４５に記録されたこれらの初期値Ｔ０，Ｙ０より所定値以上変動しているか否かを比較する（ステップＳ６）。そして、比較の結果、色温度Ｔおよび輝度Ｙの少なくとも一方が所定値より変動している場合（ステップＳ６のＹＥＳ）、比較部４３は妨害波の周波数をメモリ４５に記録する（ステップＳ７）。もちろん、所定値より変動していない場合でも、その周波数における色温度Ｔおよび輝度Ｙを記録するようにしてもよい。
【００４１】
ここで、妨害波により画像が劣化すると、信号処理部１２０のアナログ回路部分等が影響を受けて、例えば移動する縞が液晶パネル２００に表れ、結果として、液晶パネル２００に表示される画像の色温度Ｔや輝度Ｙが変動する。したがって、移動する縞を確実に撮影できるよう、所定時間にわたって撮影および比較を続けるのがよい。これにより、妨害波による画像の劣化をより高精度に検出できる。
【００４２】
本実施形態では、画像の一部を撮影して初期値との比較を行うため、液晶パネル２００全体を撮影するのと比べ、比較を簡易に行うことができる。
【００４３】
以上の処理を、妨害波の周波数が１５０ＭＨｚに達するまで、妨害波制御部４１が周波数を上昇させてスイープさせながら行う（ステップＳ８のＮＯ，Ｓ９）。
【００４４】
妨害波の周波数が１５０ＭＨｚに達すると（ステップＳ８のＹＥＳ）、出力部４４はメモリ４５に記録された比較結果をディスプレイ５に出力する。すなわち、ステップＳ６で色温度Ｔおよび輝度Ｙの少なくとも一方が所定値より変動したときの妨害波の周波数を出力する。また、メモリ４５に妨害波の周波数ごとの色温度Ｔおよび輝度Ｙを記録している場合は、これらをグラフで出力してもよい。
【００４５】
色温度Ｔおよび輝度Ｙの少なくとも一方が所定値より変動している周波数がある場合（ステップＳ１０のＹＥＳ）、その周波数で画像が劣化していると考えらえる。したがって、当該周波数の妨害波を表示装置１１０に与えながら、規格に則して評価者が官能検査を行う（ステップＳ１１）。一方、色温度Ｔや輝度Ｙの変動が所定値より小さい周波数については、画像はあまり劣化していないと考えられる。そのため、評価者が官能検査を行う必要はなく、評価者による官能検査の数を減らすことができる。
【００４６】
以上により、表示装置１１０の評価は完了する。官能検査の結果、規格を満たしていない場合は回路の設計変更を行う等、妨害波に対する耐性を向上させるための改良を行う。以上の評価は、例えば表示装置１１０のモデル単位で行い、入力される映像信号の規格ごとに、かつ、入力端子ごとに行う。
【００４７】
このように、本実施形態では、液晶パネル２００の全体ではなく一部をカメラ３ａ，３ｂで撮影するため、外光の影響をほとんど受けない程度まで、カメラ３ａ，３ｂを十分液晶パネル２００に近接させることができる。したがって暗幕等を用いることなく、簡易に評価を行うことができる。また、評価者が行うべき官能検査の数が減るため、評価者の目の疲れや集中力の低下を軽減でき、官能試験の精度を向上できる。
【００４８】
なお、上述した例では、レジスタ４２は色温度Ｔおよび輝度Ｙを算出した（図４のステップＳ３）が、いずれか一方のみを用いてもよいし、他の特性値を算出してもよい。
【００４９】
上述した実施形態で説明した評価システムの少なくとも一部は、ハードウェアで構成してもよいし、ソフトウェアで構成してもよい。ソフトウェアで構成する場合には、評価システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００５０】
また、評価システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１  テスト信号発生器
２  妨害波発生器
３ａ，３ｂ  カメラ
４  評価装置
４１  妨害波制御部
４２  レジスタ
４３  比較部
４４  出力部
４５  メモリ
５  ディスプレイ
６  カラーバー
１１０  被評価表示装置
１３７  外部入力端子
１４４，１４９  アンテナ端子
２００  液晶パネル
【図１】
2012249169.tif 000003
【図２】
2012249169.tif 000004
【図３】
2012249169.tif 000005
【図４】
2012249169.tif 000006